(57)【特許請求の範囲】
【請求項１】
液体を起立配置された描画壁面上を多数の糸状の流線をなすように流下させると共に、各流線の形成開始・終了タイミングを変化させることにより文字又は図形等のイメージを前記描画壁面上に形成する壁面ディスプレイ装置であって、
前記描画壁面は、ランダムに又は所定の規則性を持って形成され、前記流線に泡を発生させる多数の凹部を有する
ことを特徴とする壁面ディスプレイ装置。
【請求項２】
請求項１に記載の壁面ディスプレイ装置において、
前記描画壁面は、前記液体が接触すると変色する材料で形成されている
ことを特徴とする壁面ディスプレイ装置。
【請求項３】
請求項１又は２に記載の壁面ディスプレイ装置において、
前記描画壁面に液体を噴出させる多数のノズルと、該各ノズルに液体を供給する供給通路に介設された開閉弁と、該各開閉弁を前記イメージに応じて開閉制御する制御装置とを備えた
ことを特徴とする壁面ディスプレイ装置。
【発明の詳細な説明】
【技術分野】
【０００１】
本発明は、多数のノズルから液体を壁面に沿って断続的に流下させることにより文字，図形等の目標イメージを描くようにした壁面ディスプレイ装置に関する。
【背景技術】
【０００２】
この種のウォータディスプレイ装置として、本件出願人は、先に、タンク内の水を噴出させる多数のノズルと、各ノズルに水を供給する給水通路を開閉する開閉弁と、該各開閉弁の動作を制御する制御装置とを備え、該制御装置より文字，図形等の目標イメージを空中に実行イメージとして描くようにしたものを提案している（特許文献１参照）。
【先行技術文献】
【特許文献】
【０００３】
【特許文献１】特開２００９−４２３５号公報
【発明の概要】
【発明が解決しようとする課題】
【０００４】
ところで、前記ウォータディスプレイ装置は、水の流下による独創的，創造的な景観を提供することができるものの、目標イメージに対応した実行イメージを空中に描く方式であることから、装置の設置場所や環境等によっては実行イメージの形成状態が不安定となる場合があり、この点でのさらなる改善が要請されている。
【０００５】
本発明は、前記従来の実情に鑑みてなされたもので、設置場所や環境に関わらず安定した実行イメージが得られる全く新規な構造による壁面ディスプレイ装置を提供することを課題としている。
【課題を解決するための手段】
【０００６】
請求項１の発明は、液体を起立配置された描画壁面上を多数の糸状の流線をなすように流下させると共に、各流線の形成開始・終了タイミングを変化させることにより文字又は図形等のイメージを前記描画壁面上に形成する壁面ディスプレイ装置であって、前記描画壁面は、ランダムに又は所定の規則性を持って形成され、前記流線に泡を発生させる多数の凹部を有する
ことを特徴としている
【０００７】
請求項２の発明は、請求項１に記載の壁面ディスプレイ装置において、
前記描画壁面は、前記液体が接触すると変色する材料で形成されている
ことを特徴としている。
【０００８】
請求項３の発明は、請求項１又は２に記載の壁面ディスプレイ装置において、
前記描画壁面に液体を噴出させる多数のノズルと、該各ノズルに液体を供給する供給通路に介設された開閉弁と、該各開閉弁を前記イメージに応じて開閉制御する制御装置とを備えた
ことを特徴としている。
【発明の効果】
【００１０】
請求項１の発明に係る壁面ディスプレイ装置によれば、液体を描画壁面に沿って流下させて描画壁面上にイメージを形成するようにしたので、液体を空中に噴出させてイメージを形成するようにした場合に比較して、風などの影響を受けにくくなり、設置場所や環境の如何に関わらず独創的，創造的なイメージを常に安定した状態で形成することができる。
【００１１】
また、前記描画壁面にランダム又は所定の規則性を持った多数の凹部を形成したので、流下する液体の一部が凹部に流入することにより空気の泡が発生し、これにより描画壁面を流下する流線が白濁し、外方から見たとき流線が鮮明になり、ひいては文字や図形等のイメージが描画壁面から浮かび上がるように見えることとなり、見栄えを向上させることができる。
【００１２】
さらにまた、前記流下する液体の一部が前記各凹部に巻き込まれことにより液体の流下速度が減速され、結果的に流線全体の流下速度が一定となり、この点からもより安定したイメージを形成することが可能となる。
【００１３】
請求項２の発明では、前記描画壁面を液体が接触すると変色する材料で形成したので、流下する液体の背景となる描画壁面の色が変化し、これにより流線が着色されたように見えることとなり、この点からも見栄えを向上させることができる。
【００１４】
請求項３の発明では、液体を噴出させる多数のノズルと、該各ノズルに液体を供給する供給通路に介設された開閉弁と、該各開閉弁をイメージに応じて開閉制御する制御装置とを備え、該制御装置は、目標イメージが入力されると該目標イメージを構成する流線に対応するノズルに連なる開閉弁をオン・オフ制御する。これにより、前記各開閉弁が開いている期間に各ノズルから噴出した液体が描画壁面に沿って糸状の流線となって流下することとなり、この流線の集積により様々な文字，図形等の目標イメージに対応したイメージが描画壁面上に形成される。
【図面の簡単な説明】
【００１５】
【図１】本発明の実施例１に係る壁面ディスプレイ装置の概略構成図である。
【図２】前記壁面ディスプレイ装置の断面図である。
【図３】前記壁面ディスプレイ装置により形成された実行イメージの概略図である。
【図４】前記実行イメージの変形例の概略図である。
【図５】描画壁面に形成される凹部の変形例を示す概略図である。
【発明を実施するための形態】
【００１６】
以下、本発明の実施の形態を添付図面に基づいて説明する。
【実施例１】
【００１７】
図１ないし図４は、本発明の実施例１による壁面ディスプレイ装置を説明するための図である。
【００１８】
図において、１は本発明の実施例１による壁面ディスプレイ装置を示している。この壁面ディスプレイ装置１は、矩形状の描画壁２と、水が貯留されたタンク３と、該タンク３内の水を前記描画壁２の描画壁面２ａに噴出させる多数のノズル４と、該各ノズル４と前記タンク３とを接続する各供給通路５に介設された電磁弁（開閉弁）６と、該各電磁弁６を目標イメージに応じて開閉制御するコントローラ（制御装置）７とを備えている。
【００１９】
前記各供給通路５は、１本のメイン供給通路８に接続されており、該メイン供給通路８の上流端８ａは、前記タンク３の底壁に連通接続されている。前記メイン供給通路８の上流側部分には、水の逆流を阻止する逆止弁９が介設されている。
【００２０】
前記タンク３は、大気に解放された直方体形状をなしており、前記描画壁２の上方に配置されている。これによりタンク３内の水は自重によりメイン供給通路８から各供給通路５を介して各ノズル４に供給される。
【００２１】
前記タンク３には、該タンク３内に水を給水する給水管１０及び前記タンク３内の水位を検出する水位センサ１１が配設されている。前記コントローラ７は、前記水位センサ１１によりタンク３内の水位が所定の低水位に低下したことが検出されると、ポンプ１２を作動させる。これにより前記タンク３内に水が供給される。また所定の満水位に達するとポンプ１２を停止させる。
【００２２】
前記描画壁２は、各ノズル４から噴出された水を回収する回収バケット１３内に起立させて配置されている。この回収バケット１３に前記給水管１０の上流端１０ａが接続されており、該給水管１０に前記ポンプ１２が介設されている。
【００２３】
前記給水管１０の中途部には、第２の給水管１５が連通接続されており、該第２の給水管１５の下流端１５ａは、前記メイン供給通路８に連通接続されている。
【００２４】
前記給水管１０の第２の給水管１５より下流側及び該第２の給水管１５の中途部にはそれぞれ切り替え弁１６及び第２の切り替え弁１７が介設されている。
【００２５】
前記コントローラ７により第２の給水管１５側に切り替えられるとポンプ１２により加圧された水がそのまま各ノズル４に供給される。ここで前記給水管１０，第２の給水管１５は、何れか一方のみで構成してもよい。
【００２６】
前記各ノズル４は、前記描画壁２の上端部に所定の間隔を空けて幅方向に並列に、かつ直線状をなすように配置されている。このノズル４の配置数は、前記描画壁２の大きさ，形成しようとする文字，図形等に応じて適宜設定されている。また前記各ノズル４は、描画壁面２ａに対して水が描画壁面２ａに沿って確実に流下するように斜め下方に傾斜させて配置されている。
【００２７】
前記描画壁２は、描画壁面２ａが鉛直面，あるいは僅かに後方に傾斜するよう起立させて配置されている。この描画壁面２ａは、面積が数十ｃｍ２〜数十ｍ２の大きさを有するもので、単体又は複数の描画壁２を組み合わせて構成されている。
【００２８】
前記描画壁２の描画壁面２ａには、図２に示すように、水の流下方向に対して直交方向に、つまり水平方向に延びる多数の凹部２ｂが所定間隔を空けて形成されている。この各凹部２ｂは、その角部が直角をなすよう形成されている。
【００２９】
前記コントローラ７は、水を、前記起立配置された描画壁面２ａ上を多数の糸状の流線をなすように流下させると共に、各流線の形成開始・終了タイミングを変化させることにより文字又は図形等の実行イメージｉを前記描画壁面２ａ上に形成するによう構成されている。
【００３０】
前記コントローラ７には、前記目標イメージを入力するパソコン等の入力機器２０が接続されている。操作者が、前記描画壁面２ａに描きたいと考えている実行イメージｉに対応した目標イメージ（例えばアルファベットのＡ）２１を前記入力機器２０のディスプレイモニタ２０上に描くと、該描かれた目標イメージ２１がコントローラ７に入力される。
【００３１】
前記コントローラ７は、前記入力機器２０から入力された目標イメージ２１を実行イメージｉとし、該実行イメージｉに対応するオン信号又はオフ信号を割り付けるデータ処理部７ａと、該割り付けられたオン，オフ信号に基づいて前記各電磁弁６を開，閉させるデータ出力部７ｂとを有する。即ち、各電磁弁６を、実行イメージｉを形成する流線の長さに対応する時間だけ開とする。
【００３２】
本実施例の壁面ディスプレイ装置１では、操作者が入力機器２０のディスプレイモニタ２０ａに「Ａ」という目標イメージ２１を描いて送信すると、これがコントローラ７に入力され、この目標イメージ２１はデータ処理部７ａにより実行イメージｉとして処理される。
【００３３】
具体的には、図３において、例えば電磁弁４′は、第１期間ｔ１はOFF、第２期間ｔ2はON、第３期間ｔ3はOFF、第４期間ｔ4はON、第５期間ｔ5はOFFとされ、前記ON期間に対応する流線w1′、w2′が形成される（図１参照）。同様に電磁弁４′′は、第１期間ｔ１′はOFF、第２期間ｔ2′はON、第３期間ｔ3′はOFFとされ、前記ON期間に対応する流線w1′′が形成される（図１参照）。
【００３４】
このように各ノズル４に連なる電磁弁６を開閉することで、該ノズル４から噴出され、描画壁面２ａに沿って流下する流線により目標イメージ２１の「Ａ」に対応する実行イメージｉが描画壁面２ａ上に形成されることとなる。
【００３５】
そして前記各ノズル４から噴出された水の一部が各凹部２ｂ内に流入し、該凹部２ｂ内で渦状に掻き混ぜられることにより空気の泡が発生する。この泡が外部から見ると白濁状に見え、これにより描画壁面２ａ上に「Ａ」が浮かび上がるように見える。
【００３６】
このように本実施例装置１によれば、水が貯留されたタンク３と、該タンク３の下方に起立配置された描画壁２と、該描画壁２の描画壁面２ａに水を噴出させる多数のノズル４と、該各ノズル４に前記タンク３内の水を供給する供給通路５に介設された電磁弁６と、該各電磁弁６を目標イメージ２１に応じて開閉制御するコントローラ７とを備え、水を前記描画壁面２ａに沿って流下させると共に、各ノズル４の水の噴出開始・終了タイミングを目標イメージ２１である「Ａ」に応じて変化させることにより前記描画壁面２ａ上に実行イメージｉを形成するようにしたので、壁面ディスプレイ装置１の設置場所や環境の如何に関わらず水の流下による独創的，創造的な実行イメージｉを常に安定した状態で形成することができる。
【００３７】
本実施例では、前記描画壁面２ａに水の落下方向と直交する方向に延びる多数の凹部２ｂを等間隔をあけて形成したので、各ノズル４から落下する水の一部が凹部２ｂに流入することで空気の泡が発生し、これが外部から見ると白濁状の滝に見えることから、上述のように滝面に「Ａ」が浮かび上がるように見える。これにより、従来にはない独創的な外観を提供することができ、見栄えを大幅に向上させることができる。
【００３８】
また前記各凹部２ｂを通過することで水の落下速度が一定となるので、より安定した実行イメージｉを形成することが可能となる。
【００３９】
ここで、前記実施例では、描画壁面２ａに「Ａ」からなる目標イメージ２１を形成したが、例えば図４に示すように、「円」からなる実行イメージｉ′や「四角形」を上，下に交互に配置した実行イメージｉ′′を形成することも勿論可能である。
【００４０】
なお、前記実施例では、描画壁面２ａに単に水を流すことで実行イメージｉを形成するようにしたが、本発明における実行イメージｉの形成方法には、各種の変形例が考えられる。例えば、前記描画壁面２ａを、水が接触すると該接触部分又は描画壁面２ａ全面が変色する材料で形成してもよい。このように構成した場合には、流下する水の背景となる描画壁面の色が変化することから、見栄えをより一層向上させることができる。
【００４１】
また前記描画壁２の描画壁面２ａの背面部に照明器具を配設し、光を落下する水に照射するようにしてもよく、このようにした場合には見栄えを大幅に向上できる。
【００４２】
また前記実施例では、凹部２ｂを等間隔ごとに水平に延びる溝状に形成したが、この凹部は、必ずしも等間隔ごとに形成する必要はなく、ランダムに形成しても構わない。
【００４３】
また、前記凹部は、溝状に限られるものではなく、図５に示すように、多数の凹み単体２ｂ′を描画壁面２ａに、ランダムに、あるいは規則性をもって形成しても良い。なお、図５では、凹み単体２ｂ′は、実行イメージｉに対応する部分のみに簡略的に記載されているが、この凹み単体２ｂ′は、正確には描画壁面２ａ全面に形成されている。
【００４４】
さらにまた、前記実施例では、描画壁面上を流下する液体が水である場合を説明したが、本発明における液体は、水に限定されない。
【符号の説明】
【００４５】
１  壁面ディスプレイ装置
２  描画壁
２ａ  描画壁面
２ｂ  凹部
４  ノズル
５  供給通路
６  電磁弁（開閉弁）
７  コントローラ（制御装置）
２１  目標イメージ
【図１】
0006472029.tif 000002
【図２】
0006472029.tif 000003
【図３】
0006472029.tif 000004
【図４】
0006472029.tif 000005
【図５】
0006472029.tif 000006